(57)【特許請求の範囲】
【請求項１】
脱衣空間を形成し得る可撓性材料製の筒状カーテンを、それの筒口一端側を合成樹脂製の皿状トレイの開口部に止着し、筒状カーテンの筒口他端側には、この筒口を皿状トレイに収納可能な大きさに開口させて保形する保形手段を設け、かつ、筒状カーテンの周面部には、口閉じ手段を備えた出入口を形成し、更に、筒状カーテンを引き延ばして吊り下げ保持するための吊り下げ保持手段を備えて成ることを特徴とする可搬式のカーテン。
【発明の詳細な説明】
【０００１】
【発明の属する技術分野】
本発明は、手軽に持ち運びができる可搬式のカーテンに関するものである。
【０００２】
【従来の技術】
例えば自動車を駆って、海辺に出向き、砂浜を散歩したり、泳いだり、ボードで波乗りをしたり、水上バイクで楽しんだりするスポーツレジャーや、モーターキャンプ場などに出向いて、自然と接したり、野外料理を楽しんだりするレジャーなどに際しては、現地で水着に着替えたり、スポーツや野外料理などにマッチした服装に着替えたり、シャワーを浴びたりするが、その着替えのための脱衣設備やシャワー室が整っていないことが多々あって、着替え等に難儀することがあった。
【０００３】
【発明が解決しようとする課題】
このようなことから、簡易のテントや可撓性材料から成る筒状カーテン等が、脱衣設備として普及し始め、これらを携行して、現地でテントを組み立てたり、筒状カーテンを立木に吊り下げたりして、着替えを行っている。
しかし、簡易ではあると言ってもテントは高価であり、その上、重くて嵩張ることから、取り扱いの面で不便であった。
【０００４】
一方、筒状カーテンの場合は、安価で且つ取り扱いが便利ではあるものの、風が吹くと、立木などに吊り下げた筒状カーテンの裾が捲くれ上がったり、カーテン地が身体にまとわり付いて、着替えの邪魔になったりし、これに対処するために、カーテンの裾をペグ等で固定するようにすると、新たにこのペグ等の煩わしい管理手間が増えてしまう問題がある。
更に、砂地などでは、裸足になった時に足が汚れるだけでなく、貝殻などで足を傷める心配もあった。
【０００５】
本発明は、かゝる実情に鑑みて成されたものであって、簡単な構成でありながら、上記の様々な問題が解消された取り扱いの便利な可搬式のカーテンを提供することを目的としている。
【０００６】
【課題を解決するための手段】
即ち、本発明は、脱衣空間を形成し得る可撓性材料製の筒状カーテンを、それの筒口一端側を合成樹脂製の皿状トレイの開口部に止着し、筒状カーテンの筒口他端側には、この筒口を皿状トレイに収納可能な大きさに開口させて保形する保形手段を設け、かつ、筒状カーテンの周面部には、口閉じ手段を備えた出入口を形成し、更に、筒状カーテンを引き延ばして吊り下げ保持するための吊り下げ保持手段を備えさせて、脱衣等に用いる可搬式のカーテンを構成したのである。
【０００７】
上記の構成によれば、筒状カーテンを折り畳んで皿状トレイに収納させることで、脱衣等に用いる可搬式カーテンの全体がコンパクトに纏まり、かつ、筒状カーテンのみによるものに比較して、皿状トレイの分だけ重たくなるものの、脱衣用テントに比べては、嵩張らず且つ極めて軽量であることから、取り扱いが便利なものとなる。
【０００８】
また、筒状カーテンを立木などに吊り下げ保持させた状態では、合成樹脂製の皿状トレイがウエイトになることで、かつ、着替え等に際しては、この皿状トレイに更に体重がかゝることで、多少の強い風を受けても裾が捲くれ上がる心配はない。
しかも、筒状カーテンは、その上下の筒口が皿状トレイと保形手段とによって筒状に保形されることから、筒状カーテンを立木などに吊り下げ保持させた状態では、多少の強い風が吹いても、カーテン地が身体にまとわり付くことが殆どなく、風対策のための管理手間が必要なペグ等が一切不要になる。
更に、皿状トレイが簀の子の役割を果たすことから、砂地などでも足が汚れない上に、貝殻などで足を傷める心配もない。
【０００９】
【発明の実施の形態】
以下、本発明の実施の形態を図面に基づいて説明する。図１は脱衣等に使用する可搬式のカーテン１の斜視図を示し、図２は可搬式のカーテン１をコンパクトに折り畳んだ格納状態の斜視図を示している。
この可搬式のカーテン１は、大人一人がゆったりと脱衣できる程度の空間を形成する筒状カーテン２と、この筒状カーテン２の筒口一端側を方形の開口部に止着する合成樹脂製の皿状トレイ３とから成り、かつ、皿状トレイ３は、例えばバキューム成形品であって、デザイン性のアップと堅牢化とを図るために、その方形の底面部にリブ状の膨出部３ａが形成され、更に、開口部の二辺には、持ち運び用の把手４，４が形成され、この把手４，４の近くには、皿状トレイ３に収納させた筒状カーテン２の折り畳み姿勢を保つためのベルト装置５，５のベルト挿通孔ａ…が形成されている。
尚、前記把手４，４を皿状トレイ３の外方に向けて形成しているが、皿状トレイ３の開口部の上方に向けて形成してもよい。
また、把手４を開口部の一辺のみに形成するだけでもよく、或いは、把手４を設けなくてもよいのである。
【００１０】
筒状カーテン２は、外からの透視ができない不透明の可撓性シート材料、例えば、合成樹脂シートや、キャンバスなどの布、ナイロンと綿布などとの混紡繊維などの防水処理が施された可撓性のシート材料から成り、例えば標準身長の大人を覆い隠せる吊り下げ高さで、かつ、上述したように、大人一人がゆったりと脱衣できる程度の脱衣空間を形成するように構成されている。
【００１１】
具体的には、この筒状カーテン２は、皿状トレイ３の把手４を備えない辺の半分の幅の左右の正面シート部分６，６と、左右の側面シート部分７，７と、後面シート部分８とから成り、図４に示すように、正面シート部分６と側面シート部分７とを、これらを一枚ものにする状態でシート材料から切り出し、後面シート部分８を、上半分のシート部分８ａと下半分のシート部分８ｂとに分けてシート材料から切り出し、かつ、左右の側面シート部分７，７の後部側には、図３にも示すように、底辺を腰掛け深さにする三角形状のシート部分７ａを、その底辺を皿状トレイ３上面からの腰掛け高さ程度に寸法設定して延設し、更に、この三角形状のシート部分７ａの斜辺部に、小さな三角形状のシート部分７ｂを延設している。
【００１２】
そして、シート部分８ａの上下長さを、側面シート部分７のシート部分７ｂを含む上方の斜辺長さｂに設定すると共に、シート部分８ｂの上下長さを、側面シート部分７の縁部長さｃ，ｄ，ｅよりもやゝ長く設定している。
【００１３】
このようにして切り出した左右の正面シート部分６，６の上下の縁部（図１を参照）ｆ，ｈを互いに止着して、この止着縁部ｆ，ｈ間に筒状カーテン２の脱衣空間に対する人の出入口９を形成し、かつ、左右の側面シート部分７，７の上部側にわたってシート部分８ａを止着し、左右の側面シート部分７，７の下部側にわたってはシート部分８ｂを止着して、筒状カーテン２に、腰掛け部を構成する三角形状の外方への膨出部１０と、シート部分８ａによる蓋付きの小物出し入れ口１１とを備えさせているのである。
【００１４】
この筒状カーテン２の筒口一端側を、リベット、ビス、ステイプラーなどによって又はミシン縫い等の手段（筒状カーテン２が熱溶着性の材料から成る場合は、熱溶着による止着形態をとることも可能である。）によって、皿状トレイ３の開口部に止着する一方、この筒状カーテン２の筒口他端側を袋縫いし、かつ、その袋縫いに際して、この他端側の筒口を皿状トレイ３に収納可能な大きさに開口させて保形する保形手段（例えばピアノ線などの金属ワイヤーリングや合成樹脂製のリングなど）１２を縫い込み、更に、前記出入口９を閉じるための口閉じ手段１３を設けると共に、筒状カーテン２を引き延ばして吊り下げ保持するための吊り下げ保持手段１４を設けて、脱衣等に用いる可搬式のカーテン１を構成しているのである。
尚、上記したシート部分６〜８の切り出し形状は、シート材料が繊維製品である場合の縁部のほつれが生じないように、その縁部の適宜の箇所を折り込み縫合する際の折り込み代や、シート部分どうしの縫い合わせ代、袋縫いの折り返し代などは見込まれていない形状であり、実際の裁断に際しては、これらの寸法代が見込まれることは言うまでもない。
【００１５】
上記の口閉じ手段１３は、この実施の形態では、出入口９の一方に所定の間隔を隔ててリボン１５を設けると共に、このリボン１５とこれに相対向する出入口９の他方とに面ファスナーｉ，ｊを設けて成るが、筒状カーテン２の内外いずれでも開閉操作が可能で、かつ、出入口９を完全に閉じ切ることができるスライド式のファスナー等に変更可能である。
吊り下げ保持手段１４は、保形手段１３によって保形された筒口他端側の相対向する開口辺部に、それぞれが端部にフックｍを備えたゴムベルト１６，１６を止着し、かつ、各ゴムベルト１６の途中部分に長さ調整手段１７を備えさせて成るが、一方の開口辺部にベルトを止着し、このベルトの端部に、他方の開口辺部を挟着するクリップを設ける構成などに変更可能である。
【００１６】
上記構成の可搬式のカーテン１によれば、膨出部７と吊り下げ保持手段１４とを脱衣空間内に押し込み、かつ、図２に示すように、筒状カーテン２を蛇腹状に折り畳んで皿状トレイ３に収納し、この筒状カーテン２をベルト装置５，５によって押さえ付けることで、可搬式カーテン１の全体をコンパクトに纏めることができるのであり、そして、皿状トレイ３には把手４を備えさせているので、カーテン１の持ち運び並びに取り扱いが極めて便利なものとなる。
【００１７】
この可搬式のカーテン１を車内に携行した自動車を駆って、例えば水泳やキャンプなどのレジャーを楽しむに際して、現地で水着に着替えたり、スポーツにマッチした服装に着替えたりする時には、図３に示すように、現地に駆った自動車が例えば下開きドア１８を備えるものであれば、この下開きドア１８をフルオープンにする一方、可搬式のカーテン１を車内から持ち出し、これのベルト装置５，５を外して筒状カーテン２を引き延ばし、吊り下げ保持手段１４のゴムベルト１６，１６の長さ調整をして、フックｍ，ｍどうしを互いに係止させ、かつ、ゴムベルト１６，１６をフルオープンにしたドア１８に巻き掛けて、筒状カーテン２を吊り下げ保持させることで、筒状カーテン２による簡易の脱衣設備を簡単に手に入れることができる。
【００１８】
この筒状カーテン２の吊り下げに際して、それの三角形状の外方への膨出部１０を、自動車のリアバンパー１９や荷台後部などに乗せ掛けるようにするのであり、このようにすれば、リアバンパー１９などに腰を掛けて、楽な姿勢で着替えをすることができる上に、腰を掛けた姿勢のままで、小物出し入れ口１１を通して、着替えた衣服などを荷台に持ち出したり、或いは、荷台に用意した小物を筒状カーテン２内に取り込んだりすることができる。
【００１９】
そして、筒状カーテン２の吊り下げ保持状態では、合成樹脂製の皿状トレイ３がウエイトになることに加えて、着替えに際しては、この皿状トレイ３に更に体重がかゝることで、多少の強い風を受けても筒状カーテン２の裾が捲くれ上がる心配は一切ない。
また、筒状カーテン２の上下の筒口が保形手段１２と皿状トレイ３とで保形されて、筒状カーテン２が筒形状を保持することから、カーテンが風に吹かれてても、カーテン地が身体にまとわり付くことがないので、着替えの邪魔にならず、従って、風対策のための管理手間が必要なペグ等が一切不要になる。
更に、皿状トレイ３が簀の子の役割を果たすことから、砂地などでも足が汚れない上に、貝殻などで足を傷める心配もない。
尚、簡易シャワーを併用することを考慮して、好ましくは図３に示すように、皿状トレイ３の底面相当面部に水抜き孔ｎを形成しておくことである。
【００２０】
可搬式のカーテン１を携行した自動車を利用しなくても、この可搬式カーテン１の筒状カーテン２を立木の枝などを利用して吊り下げることができるのであり、或いは、立木の枝などにわたって横バーを掛け渡して、これに筒状カーテン２を吊り下げることもできるのであり、かつ、折り畳み椅子やビールケース等を携行しているならば、これらを仮架台にして膨出部１０の下部に設置することで、この仮架台に腰を掛けて、楽な姿勢で着替えをすることができるのである。
【００２１】
尚、筒状カーテン２を皿状トレイ３に収納させた状態で、この筒状カーテン２を収納させた皿状トレイ３に、吊り下げ保持手段４のゴムベルト１６，１６を巻き掛けて、フックｍ，ｍを互いに係止連結させることで、筒状カーテン２の折り畳み姿勢を保持させることが可能であり、かゝる構成をとれば、筒状カーテン２の折り畳み姿勢を保持するためのベルト装置５，５を処理できることで、コストダウンが達成される。図示しないが、本発明は、筒状カーテン２を前記膨出部１０や蓋付きの小物出し入れ口１１が省略された単純な形にして実施することも可能である。
【００２２】
【発明の効果】
以上説明したように、本発明によれば、多少の強い風を受けても、裾が捲くれ上がったり、カーテン地が身体にまとわり付くことが殆どなく、しかも、砂地などでも足が汚れない上に、貝殻などで足を傷める心配のない可搬式のカーテンを、軽量で嵩張らず、従って、持ち運び並びに取り扱いの便利なものにして提供することができる。
【図面の簡単な説明】
【図１】可搬式のカーテンの斜視図である。
【図２】格納状態を示すカーテンの斜視図である。
【図３】カーテンの使用例を示す説明図である。
【図４】シート材料からのシート部分の切り出し説明図である。
【符号の説明】
２…筒状カーテン、３…皿状トレイ、９…出入口、１２…保形手段、１３…口閉じ手段、１４…吊り下げ保持手段。
【図１】
0003771659.tif 000002
【図２】
0003771659.tif 000003
【図３】
0003771659.tif 000004
【図４】
0003771659.tif 000005